(57)【要約】本発明は、蝶結びの必要性を排除するための靴ひもを固定する着脱可能な装置に関し、先述の装置は互いに保持される２つの部品で構成され、第一の部品、いわゆる靴ひも留め（１）は、平坦、硬質で、任意の形状であり、６個以上の穴（２，３，４）を備えており、第二の部品は、カバー（５）の内壁と靴ひも留め（１）の間に、靴ひも（８）の端部を閉じ込めることができる空洞（７）を形成するための適切な形状および大きさのカバー（５）であり、カバーの底部は靴ひも留め（１）に嵌め合わされて、カバー縁部に構成された内側溝（６）によって靴ひも留め（１）に保持される。装置は閉じた状態の全体の厚さが最大１０ｍｍである。【選択図】図１
2017534409.tif 000002
【特許請求の範囲】
【請求項１】
互いに保持される二つの部品で構成された、固定し、且つ靴ひもの蝶結びを省略するための着脱可能な装置であって、
−  前記第一の部品すなわち「靴ひも留め具」（１）は、平坦で、硬質で、任意の形状であり、６個以上の穴（２、３、４）を備えており、
−  前記第二の部品はカバー（５）であり、当該カバー（５）の内壁と前記靴ひも留め具（１）の間に靴ひも（８）の端部を閉じ込めることができるように構成された空洞（７）を形成するための好適な形状および大きさを有するとともに、前記カバーの縁部に位置する内側溝（６）によって、前記靴ひも留め具（１）に、その底部で嵌め合わせて保持するための好適な形状および大きさのカバー（５）であり、
−  前記装置は、好ましくは、閉じた状態の全体の厚さが最大で１０ｍｍである、
着脱可能な装置。
【請求項２】
前記靴ひも留め部品（１）はアルミニウムまたはプラスチックで構成され、好適にはプラスチックで構成され、厚さは１〜１．５ｍｍであることを特徴とする請求項１に記載の装置。
【請求項３】
前記靴ひも留め具（１）は１０個以下の穴を備えており、好適には６個の穴を備えていることを特徴とする請求項１または２に記載の装置。
【請求項４】
前記靴ひも留め部品（１）は楕円形、円形、四角形、または長方形であり、好適には楕円形であることを特徴とする請求項１から３のいずれかに記載の装置。
【請求項５】
前記カバーはカプセル形状であることを特徴とする請求項１から４のいずれかに記載の装置。
【請求項６】
前記装置全体の厚さが６ｍｍであり、前記靴ひも留め部品（１）が６個の穴を備えていることを特徴とする請求項１から５のいずれかに記載の装置。
【請求項７】
片方の靴につき、請求項１から６のいずれかによる１個の装置を使用することを含む、固定して靴ひもの蝶結びを省略する方法であって、
−  前記靴ひもの各自由端が、連続的に、前記靴ひも留め具の第一の面から第二の面に向かって第一の穴を通過し、次いで前記第一の面に向かって第二の穴を通過して戻り、次いで、第三の穴を通過して前記第二の面に戻り、
−  前記カバーは、前記靴ひも留め具の前記第二の面と前記カバーの内側との間に空洞を形成するように、前記靴ひも留め具上に嵌め合わされることを特徴とする方法。
【発明の詳細な説明】
【技術分野】
【０００１】
本発明は、靴ひもの蝶結びを不要にして、前記靴ひもを固定する着脱可能な装置に関する。
【背景技術】
【０００２】
蝶結びをする必要がない編み上げ靴の着用が、主に十代と相当数の成人を含む若い人々の間で、服飾に関する最新ファッションとして流行している。それゆえに、魅力に欠ける蝶結びは省略され、ほどけた靴ひもは、地面を引きずらないようにそれぞれの靴内部に位置している。
【０００３】
ただし、このファッションは以下の不利な点に関連している。すなわち、
【０００４】
−  靴内部に位置する靴ひもによる不快感と、結果として脚の痛みを生じる可能性がある。
【０００５】
−  靴ひもがほどけて正しく脚が保持されないことにより、靴の緩みが生じ、その結果として、特に、足首を捻挫する可能性がある。
【０００６】
−  靴ひもが靴の中から出てきてしまう不便さがあり、引きずられた靴ひもでつまずき、転倒する原因となる可能性がある。
【０００７】
この新しい服飾ファッションによってもたらされる不利な点を考慮して、ほどけた靴ひもに関する本問題の解決策を提供することが重要と思われる。
【０００８】
数多くの先行技術が知られており、そのいくつかは靴ひもで既に結ばれた蝶結びを強固に保持するという目的を有している。それらの文献は、具体的には以下のものである。
【０００９】
国際公開第２０１２１６２７３７号は、柔軟な部品で構成された、靴ひもを保持するための取り外し可能装置を開示しており、２本の靴ひもが柔軟な部品に挿入され、柔軟な部品は頂部に保持された装飾的部品内部に蝶結びを保持する。
【００１０】
米国特許第５６４９３４２号は、靴ひもの蝶結びを保持する装置を開示しており、下方部分および、２つの部品を連結するための機構を持つカバー部を備え、それにより、蝶結びで結ばれた靴ひもを保持する。
【００１１】
他の文献は、靴ひもの取付けを可能にする複雑な装置に関する。この文献は国際公開第２００８１２０４８号であり、靴ひもがほどけることによる不便さを防ぐことができる、３つの部品で構成される着脱可能な装置を開示している。靴ひもは底部部品の２つの穴を通って挿入され、装飾的部品で被覆された中間部品によって、空間に取り付けられている。複雑であることに加え、この装置では靴ひもを簡単にほどくことができない。
他の先行技術は、子供の靴ひもがほどけるのを防ぐことを目的としている。具体的には、米国特許第５９１８３５２号公報で、子供の靴ひもがほどけないようにすることができる装置を開示している。小さな箱型形状の装置は、蝶結びの結び目の下に容易に挿入でき、カバー部が閉鎖され、安全装置により、閉位置でカバー部を保持することを可能にする。
【先行技術文献】
【特許文献】
【００１２】
【特許文献１】国際公開第２０１２１６２７３７号
【特許文献２】米国特許第５６４９３４２号公報
【特許文献３】国際公開第２００８１２０４８号
【特許文献４】米国特許第５９１８３５２号公報
【発明の概要】
【発明が解決しようとする課題】
【００１３】
いずれの先行技術も、靴ひもの締めつける蝶結び（結び目）を結ぶことを避けた行為として、靴の中に押し込まれた靴ひもによって生じる不具合への対応を提供していない。
【００１４】
本発明は、蝶結びを望まない一部のユーザのために、編み上げ靴のこの問題点に対する解決策を提供する。
【００１５】
発明者は、先に述べた課題に対する解決策を提供する、靴に装着されても目立たない、簡単で、安価な装置を開発した。
【課題を解決するための手段】
【００１６】
発明の一般的な記載
第一に、本発明は、互いに保持される二つの部品で構成される、固定し、且つ靴ひもの蝶結びを省略するための、着脱可能な装置を提供する。
【００１７】
−  第一の部品すなわち「靴ひも留め具（ｌａｃｅ−ｓｔｏｐ）」（１）は、平坦で、硬質で、任意の形状であり、６個以上（２ｎ≧６、ここで、ｎは３から５またはそれ以上の整数）の穴（２，３，４）を備えており、その穴を靴ひもの端部が通過し且つ固定することができる。
【００１８】
−  靴ひも留め具（１）と幅および長さが同一の大きさの第二の部品は、カバー（５）であり、カバー（５）は任意の形状で、カバーの縁部に位置する内側溝（６）によって靴ひも留め具（１）に保持される。言い換えると、以下に詳述されているように、第二の部品は、カバー（５）の内壁と靴ひも留め具（１）との間に靴ひも（８）の端部を閉じ込めることができる空洞（７）を形成するための好適な形状と大きさのカバー（５）であり、且つ、カバーの縁部に位置する内側溝（６）によってその底部で靴ひも留め具（１）に嵌め合わされ固定されるために好適な形状および大きさであるカバー（５）である。
【００１９】
全体として、靴ひも留め具は任意の形状（外形）とすることができ、例えば、楕円形、円形、四角形、長方形、多角形、または不規則な形状であってもよい。一方で、カバーの基部の形状は先述の形状に一致するように、溝によって靴ひも留め具に嵌め合わせるように選択される。言い換えると、カバーの底部（縁部）によって形成される開口部は、靴ひも留め具と実質的に同一の大きさであり、本質的に靴ひも留め具と補完的な形状である。カバーそのものは基本的に平坦（直線状の縁部）であってもよいが、曲線状であることが望ましい。全般的に、装置は閉じた状態の全体の厚さが最大で１０ｍｍであり、好適には最大で８ｍｍであり、より好適には最大で６ｍｍである。
【発明の効果】
【００２０】
本発明に従った装置は、特に以下の事項により、この新しいファッションの欠点を改善することを可能にする。
【００２１】
−  靴ひもはもはや靴の中には配置されず、代わりに本装置のカバー内で巻き上げられたままの状態である。その長さは、例えば、靴の外観を損ねることなく約２〜４ｃｍよりも長い。
【００２２】
−  本装置は、靴ひもを穴に通すことで、靴ひもを調節可能に締め付けることを可能にする。
【００２３】
−  靴ひもの端部がカバーの中に維持されているため、靴ひもが靴から出てくる危険性がなくなり、さらに、痛みや、ほどけた靴ひもによる転倒による問題が解消される。
【００２４】
本発明による装置の利点は以下の通りである。
【００２５】
−  本装置は若者の最新の流行および美的センスに完璧に合致する。
【００２６】
−  本装置はいかなる種類の編み上げ靴にも極めて容易かつ迅速に装着できる。
【００２７】
−  靴ひもの長さは靴ひものそれぞれの端部で２〜４ｃｍの長さで調節でき、季節ごとの変化を可能にする。
【００２８】
−  本装置により、手を使うことができない障害者が靴を容易に着ぎ履きすることができる。
【００２９】
−  平坦な、もしくは曲線状のカバーに、デザインが提供されてもよい。あまり厚さがなく、ロゴ、ブランド名、装飾的または商業的な画像を印刷またははめ込むことができ、それらは、明白な、装飾的および商業的資産である。
−  さらに、２つの部品は製造が極めて単純であり、本装置にかかる費用は安価である。
【００３０】
いくつかの周知装置とは異なり、本装置は結び目を結ぶ必要がなく、靴ひもの端部を完全に収容することができる。本装置は蝶番（ヒンジ）を含まず、靴ひもを把持するためのカバーに固定されたピンを必要としない。
【図面の簡単な説明】
【００３１】
【図１】図１は、靴ひも留め具（１）およびそのカバー（５）を示す。
【図２】図２は、本発明に従った装置の断面図を示す。
【発明を実施するための形態】
【００３２】
以下の定義が本発明に適用される。
【００３３】
−「硬質」とは、靴ひもを保持および／または堅く締めるために、靴ひもを穴に通すことによって生じる張力にもかかわらず、靴ひも留め部品の一部が捩れず、平坦な形状を維持するという事実である。
【００３４】
−  「カバーに保持される」とは、カバーが靴ひも留め具を閉鎖し、連結した状態を維持する事実である。また、「互いに保持される二つの部品」とは、カバーの内側溝（６）への圧力によって、一度カバーが靴ひも留め具に嵌め合わされると、靴ひも留め部品（１）とカバー（５）とが一つの単一部品を形成することを意味する。
【００３５】
第二に、本発明は、固定し、且つ靴ひもの蝶結びを省略する方法を提供するものであり、片方の靴につき、請求項１から６のいずれかによる１個の装置を使用することを含む。本発明の方法は以下のとおりである。
【００３６】
−  靴ひもの各自由端が、連続して（交互に）、靴ひも留め具の第一の面から第二の面に向かって第一の穴を通過し、次いで第一の面に向かって第二の穴を通過して戻り、次いで、第三の穴を通過して第二の面に戻る。
【００３７】
−  カバーが、靴ひも留め具の第二の面（靴ひもの端部が配置される面）とカバーの内側との間に空洞を形成するように、靴ひも留め具上に嵌め合わされる。
【００３８】
穴の数は６よりも大きい（２ｎ、ここでｎ＞３）。
【００３９】
好適な実施形態の説明  
添付の図面は、本発明を図示している。添付の図面は発明の主題の非限定的な実施形態である。
【００４０】
図１は、靴ひも留め具（１）およびそのカバー（５）を示す。２本の靴ひもが開口部２、次いで開口部３、次いで開口部４を通過して進入しており、カバー内に収容された状態が保たれている様子が表されている。靴ひもの端部が８として示され、靴の方向に向かっている靴ひもの部分は９として示されている。カバーの溝６により、靴ひも留め部品（１）の縁部が、単純な指圧でカバーに挿入される。
【００４１】
図２は、本発明に従った装置の断面図を示しており、カバーが靴ひも留め部品に固定され、靴ひもが保持される態様を表している。靴ひもの、靴ひも留め部品への挿入方向が、靴ひもに沿った矢印によって図示されている。
【００４２】
靴ひも留め部品（１）の大きさおよび形状は、様々な既存の靴ひもに適合するように、異なっていてもよい。
【００４３】
本発明による装置において、靴ひも留め部品は平坦かつ硬質であり、それにより靴ひもを緩めずに保持することが可能である。靴ひも留め部品の６個以上の穴に２本の靴ひもを通過させ、それにより靴ひもを固定することを可能にする。
【００４４】
靴ひも留め部品は、靴ひもの圧力下で変形しない程度に十分硬質でなければならない。この目的を達成するために、例えばアルミニウムまたは硬質プラスチックのような硬質の材料で構成され、好適には硬質プラスチックで構成され、厚さは１〜１．５ｍｍである。
【００４５】
非限定的な例として、靴ひも留め具の寸法は、幅２ｃｍ、長さ３ｃｍ、および厚さ１ｍｍである。
【００４６】
靴ひも留め部品は、２本の靴ひもを保持するために、１０個以下の穴を備えてもよい。ただし、当該装置が妥当な長さであると同時に、靴ひも留め部品が、穴または開口部に挿入される靴ひもの圧力で捩じれる傾向がない限りにおいて、６個の穴が本発明による好適な実施形態である。
【００４７】
靴ひも留め部品は、任意の形状、具体的には楕円形、円形、四角形、または長方形であってもよい。本発明による好適な実施形態では、靴ひも留め部品は楕円形である。
【００４８】
靴ひも（８）の端部を、最初に横開口部（２）を通過させ、次いで中央開口部（３）を通過させ、最後に裏側から第二の横開口部（４）を通過させ、その結果、靴ひも（８）の端部が空洞（７）に位置することで、靴ひもが動かないように固定される。靴ひもは、片方の手で、靴の最後の出口用ハトメ（ｏｕｔｌｅｔ  ｅｙｅｌｅｔ）に対して強く靴ひも留め具を押圧し、もう片方の手で靴ひも（８）の端部を引っ張ることにより固定される。
【００４９】
きつく締めた後、約３ｃｍの靴ひもが、靴ひも留め具（１）の出口用開口部（４）と靴ひも（８）の端部の間に維持される。
【００５０】
靴ひも留め具（１）の出口用開口部（４）と靴ひも（８）の端部との間の３ｃｍの靴ひもは、カバー（７）の室内容積内、または空洞内で巻き上げられた状態で維持され、固定され、カバー（５）の内壁と靴ひも留め具（１）の間に閉じ込められる。
【００５１】
靴ひものはみ出した部分が、確実に４ｃｍ以下の長さであるために、靴ひもの端部を切り落とすか、または元の靴ひもをより短い靴ひもに取り替えることが可能である。これは、靴ひも留め部品の最後の穴を通した後で、靴ひもの端部が最大でも４ｃｍの長さを超えないで靴ひもの端部を空洞内に収めることを目的としている。
【００５２】
靴ひもは、穴の中の靴ひもを滑らせる（ｓｌｉｄｅ）ことによって、簡単に締めたり、または緩めたりすることができる。この技術は簡単、効果的で迅速である。
【００５３】
カバーの大きさおよび形状は、第一に、靴ひも留め部品に嵌め合わせるために変化させることができる。具体的には、カバーはその底部が楕円形、円形、四角形または長方形であってもよい。底部の形状に加え、カバーは、空洞（７）を形成するように、角度付き、または円形など任意の形状、任意の新規かつ装飾的な形状とすることができる。
【００５４】
カバーは、靴ひも留め部品をカバーの縁部に位置する溝に挿入することを可能にするために、プラスチック材料でできていることが好ましい。靴ひも留め部品への溝の挿入が可能な他の柔軟な材料が使用されてもよい。
【００５５】
本発明による、ある好適な実施形態では、カバーはカプセル形状であり、好適には楕円形である。
【００５６】
カバーの高さは、例えば３〜１０ｍｍの多様なものとすることができる。ある好適な実施形態では、カバーは高さ６ｍｍである。
【００５７】
本発明による好適な装置において、靴ひも留め部品（１）は６個の穴を備え、装置全体の厚さは約６〜１０ｍｍである。
【００５８】
本発明による装置は、具体的には、靴ひもの端部を少なくとも３つの穴のうち奇数の穴に通過させ、靴ひもを装飾的なカバーで見えないようにすることを含む締め付けシステムによって、靴ひもを固定することを目的としている。
【００５９】
綿またはナイロン（登録商標）製の靴ひもが、本発明による装置内部で正確に動かないように固定される。靴ひも留め部品の穴または開口部に靴ひもが一旦挿入されると滑ることがない。したがって、靴を所望の閉鎖状態で維持することができる（緩める、または強く締めつける）。
【００６０】
靴ひもを靴ひも留め部品に固定する穴は、靴ひもの大きさとおよそ同じ大きさであり、その結果、靴ひもが締めつけられて保持されることができる。穴の大きさは、靴ひもの直径よりもわずかに大きいことが好ましい。それにより、靴ひもが、滑ることなく締め付けることを目的として、穴を通過させることが可能である。
【図１】
2017534409.tif 000003
【図２】
2017534409.tif 000004
【国際調査報告】
2017534409.tif 000005
2017534409.tif 000006
2017534409.tif 000007
2017534409.tif 000008